Podtech/llm-jp-corpus-v4-ja_patent huggingface dataset:
(57)【要約】【課題】  宴席等で、中身を注ぎ終らない限りテーブルやお膳に置くことができない徳利を提供する。【解決手段】  その徳利を持った時に、親指、人差し指または中指で塞ぐことができる程度の大きさの孔を下部側面または底部に有する徳利。  本考案の徳利は、お酒が入っているときは指でその穴を塞いでいなければならず、中身がほぼ空にならなければ手から放してお膳やテーブル等に置くことができないため、積極的に酌をすることになり、宴席が盛り上がるという効果を有する。【選択図】  図１
0003207923.tif 000002
【実用新案登録請求の範囲】
【請求項１】
その底面又は下部側面に指で塞ぐことができる程度の大きさの孔を有する徳利
【考案の詳細な説明】
【技術分野】
【０００１】
本考案は徳利に関する。さらに詳しくは、中の酒を注ぎ終わらなければ静置できない徳利に関する。
【背景技術】
【０００２】
我が国では、宴会の席では昔から他人に酒を注いで奨めるお酌の習慣が一般的である。特に酒が強い人が多いと言われる地方では、注いだ酒を完全に飲み干すことを強いることによって、宴席を盛り上げるというようなことが屡々行われる。そのために、注がれた酒を飲み干さないと置くことができないように高台がなかったり、底に穴が開いていて指で塞がなければならないように工夫された特殊な盃もあり、宴席のお遊び的な小道具となっていたりする（非特許文献１）。
このように、注がれた酒を半強制的に飲まざるを得ないような盃は存在する一方、注ぐ側がどんどん注がざるを得ないような徳利は存在しなかった。
【先行技術文献】
【非特許文献】
【０００３】
【非特許文献１】ウイキペディア「可杯（べくはい）」の項
【考案の概要】
【考案が解決しようとする課題】
【０００４】
しかしながら、我が国での宴席では、手酌で飲むよりお酌されて飲む方が飲みやすく、宴席の場も盛り上がるという風潮がある。そこでお酌する側でも、半強制的にお酌をせざるを得ないような徳利が望まれていた。
本考案はこのような点に鑑みなされたものである。
【課題を解決するための手段】
【０００５】
すなわち、本考案は、その底面又は下部側面に指で塞ぐことができる程度の大きさの孔を有する徳利である。
【考案の効果】
【０００６】
本考案の徳利は、底面又は下部側面に孔を有しているため、酒が入っている限り指でその穴を塞いで持っていなければならず、酒を注いで空にしない限り置くことができないので、より積極的に相手にお酒を奨めることになる。従って、本考案の徳利を使用すると場が盛り上がるという効果を有する。
【図面の簡単な説明】
【０００７】
【図１】本考案の徳利を表した図である。
【考案を実施するための形態】
【０００８】
以下に、本考案を説明する。
図１は本考案の徳利を表した図で、１は徳利、２は下部側面の孔である。お酌をする側の人は孔を指で塞いでいなければならず、かつお酒が残っている間は常に塞いでいなければならない。従って、徳利の中のお酒を注ぎ終らない限り徳利をお膳やテーブルに置くことができない。
孔は側面の場合はなるべく下部に開けるのが好ましい。孔の底面の高さが徳利の中の酒の残量を決めることになる。また、孔は側面でなく底面であってもよい。
孔の大きさは指で塞ぐことができる程度の大きさである。孔の数は通常1つか２つであるが、１つであることが好ましい。
徳利の使い方は、例えば、宴席の参加者でお酌をしようとする人に徳利を持ってもらい、これに瓶から直接お酒を注ぐ。お酌をする人は、徳利に酒が入っている限り親指や中指等で常に孔を塞いでいなければならないので、徳利を持ち続けなければならない。
徳利は、孔がある以外は従来の徳利と同様の形状、大きさである。
【産業上の利用可能性】
【０００９】
本考案の枡は徳利、底部側面又は底に穴が開いているので、中にお酒が入っている限り指で孔を塞いでおかなければならない。従って、宴席等でお酌された人は酒を積極的に奨めて回らなければならないということになり、宴席を盛り上げ、ひいては外食産業、酒造産業等に資する。また、ご当地土産としても利用できる。
【符号の説明】
【００１０】
１  徳利
２  孔
【図１】
0003207923.tif 000003
(57)【要約】      （修正有）【課題】宴席等で、中身を飲み干さない限りテーブルやお膳に置くことができない酒器用升を提供する。【解決手段】升を持った時に、中指か人差し指が届く範囲の底面に指で塞ぐことができる程度の大きさの孔を有する酒器用升。升は通常は木製で、漆等の塗りを施してあってもよい。お酒が入っているときは指でその穴を塞いでいなければならいので、酒を飲み干さないと手から放すことができず、宴席が盛り上がるという効果を有する。【選択図】図１
0003207922.tif 000002
【実用新案登録請求の範囲】
【請求項１】
その底面に指で塞ぐことができる程度の大きさの孔を有する酒器用升。
【考案の詳細な説明】
【技術分野】
【０００１】
本考案は酒器である升に関する。さらに詳しくは、中の酒を飲み干さなければ静置できない升に関する。
【背景技術】
【０００２】
我が国では、宴会の席では昔から他人に酒を注いで奨めるお酌の習慣が一般的である。特に酒が強い人が多いと言われる地方では、注いだ酒を完全に飲み干すことを強いることによって、宴席を盛り上げるというようなことが屡々行われる。そのために、注がれた酒を飲み干さないと置くことができないように高台がなかったり、底に穴が開いていて指で塞がなければならないように工夫された特殊な盃もあり、宴席のお遊び的な小道具となっていたりする（非特許文献１）。
【先行技術文献】
【非特許文献】
【０００３】
【非特許文献１】ウイキペディア「可杯（べくはい）」の項
【考案の概要】
【考案が解決しようとする課題】
【０００４】
宴席等で用いられる酒器としては盃以外にも、コップ、グラス、升等があるが、従来これらの酒器については、盃のような静置できないものはなかった。しかしながら、これら盃以外についても、前記盃と同様なものがあると、より一層宴席が盛り上がると考えられる。
本考案はこのような点に鑑みなされたものである。
【課題を解決するための手段】
【０００５】
すなわち、本考案は、その底面に指で塞ぐことができる程度の大きさの孔を有する酒器用升である。
【考案の効果】
【０００６】
本考案の升は、底面に孔を有しているため、酒が入っているときは指でその穴を塞いでいなければならず、酒を飲み干さない限り置くことができないので、宴席で本考案の升を使用すると場が盛り上がるという効果を有する。
【図面の簡単な説明】
【０００７】
【図１】本考案の升を表した図である。
【考案を実施するための形態】
【０００８】
以下に、本考案を説明する。
図１は本考案の升を表した図で、１は升、２は底面の孔である。お酒を注がれるときは底部の孔を指で塞いでいなければならず、かつお酒が残っている間は常に塞いでいなければならない。従って、升の中のお酒を飲み干さない限り升をお膳やテーブルに置くことができない。孔の位置は底面であれば何処でもよい。通常は升を手で持った時に人差し指か中指が届く範囲である。孔の大きさや形状は、指で塞げる程度である。
升の材質は特に制限はないが、通常は木である。その表面は木そのものであってもよいが、例えば外側に漆塗りを施してもよい
【産業上の利用可能性】
【０００９】
本考案の升は、底に穴が開いているので、中にお酒が入っている限り指で孔を塞いでおかなければならない。従って、宴席等でお酌された人は酒を飲み干さないと升を手放すことができないということになり、宴席を盛り上げ、ひいては外食産業、酒造産業等に資する。また、ご当地土産としても利用できる。
【符号の説明】
【００１０】
１  升
２  孔
【図１】
0003207922.tif 000003
(57)【要約】【課題】  宴席等で、中身を飲み乾しても、常に自分の手元に置いておけるような盃を提供すること【解決手段】  その側面上部に紐を通すための孔を有する盃である。好ましくはそのような盃であって底部が円錐状や球冠状のように平らな面を有さないために自立できない盃である。  側面上部の孔に紐を通し、首にかけると、空の盃をぶら下げておくことができるので、宴会やパーティ等の席で常に自分の盃で酒を飲むことができ、衛生面でも好ましい。また、自立できないようにした場合は飲み干さないと手から放すことができず、宴席が盛り上がるという効果を有する。【選択図】  図１
0003207921.tif 000002
【実用新案登録請求の範囲】
【請求項１】
その側面上部に紐を通すための孔を有する盃。
【請求項２】
底部に平らな面を有さず、自立できないように構成された請求項１の盃。
【考案の詳細な説明】
【技術分野】
【０００１】
本考案は盃に関する。さらに詳しくは、高台のような静置させる部分を有さず、自立できない盃に関する。
【背景技術】
【０００２】
我が国では、宴会の席では昔から他人に酒を注いで奨めるお酌の習慣が一般的である。特に酒が強い人が多いと言われる地方では、注いだ酒を完全に飲み干すことを強いることによって、宴席を盛り上げるというようなことが屡々行われる。そのために、注がれた酒を飲み干さないと置くことができないように高台がなかったり、底に穴が開いていて指で塞がなければならないように工夫された特殊な盃もあり、宴席のお遊び的な小道具となっていたりする（非特許文献１）。
【先行技術文献】
【非特許文献】
【０００３】
【非特許文献１】ウイキペディア「可杯（べくはい）」の項
【考案の概要】
【考案が解決しようとする課題】
【０００４】
上記のように、特殊な盃を用いると、注がれた酒を飲み干さない限り盃を手に持っていなければならない。飲み干して初めて盃を置くことができるが、高台がないので、立てて置くことができない。そのために、盃に残った酒の滴がお盆やテーブルの上にこぼれてしまい、周りを汚してしまう恐れがある。さらに、テーブル等に置こうとしても、盃が転がってしまい、テーブルから落ちてしまう可能性もある。また、立食の席等では一旦テーブル等に盃を置いてしまうと、どれが自分のものが分からなくなりがちで、不都合である。
そこで、中身を飲み乾しても、常に自分の手元に置いておけるような盃が望まれていた。
本考案は、上記のような状況に鑑みなされたものである。
【課題を解決するための手段】
【０００５】
すなわち、本考案は、その側面上部に紐を通すための孔を有する盃であり、好ましくはそのような盃であって底部に平らな面を有さないために自立できない盃である。
【考案の効果】
【０００６】
本考案の盃は、側面上部に孔を有しているので、その穴に紐を通し、首にかけると、空の盃をぶら下げておくことができるので、宴会やパーティ等の席で常に自分の盃で酒を飲むことができ、衛生面でも好ましい。また、飲み干した盃をテーブル等の上に置く必要が無くなり、盃がテーブル等から転がり落ちる恐れもなくなる。
【図面の簡単な説明】
【０００７】
【図１】本考案の盃を表した図である。
【考案を実施するための形態】
【０００８】
以下に、本考案を説明する。
図１は本考案の盃を表した図で、１は盃、２は側面上部の孔、３はそれに通した紐である。紐は両端が結ばれる等してループ状となっており、首に掛けておくことができる。紐で首にかけておくことで、盃が常に手元にあり、酒を勧められたときや、最後の乾杯のとき等に自分の盃を探す手間が不要である。
盃は、どのような形状でも差し支えないが、底部に立たせておくための平らな部分を有さないことが好ましい。例えば底部が円錐状であったり、球冠状のように丸味を帯びていたりする。このような形状とすることにより酒をお酌された人は飲み干さないかぎり盃を持っていなければならず、勢い酒が進みがちで宴席が盛り上がることになる。
盃の材質は特に制限はなく、土器、せっ器、磁器、陶器、木、ガラス等いずれでも差し支えない。
【産業上の利用可能性】
【０００９】
本考案の盃は、紐で首にかけて置くことができるので、宴会やパーティ等の席で常に自分の盃で酒を飲むことができ、衛生面でも好ましく、底部を自立できないような形状とすることにより、宴席等でお酌された人は酒を飲み干さないと盃を手放すことができないということになり、宴席を盛り上げ、ひいては外食産業、酒造産業等に資する。
【符号の説明】
【００１０】
１  盃
２  孔
３  紐
【図１】
0003207921.tif 000003
(57)【要約】      （修正有）【課題】体組成計測のための電極板を臀部に当てることで、より正確に胴体部分の組成計測を行うことができる便座式体組成計を提供する。【解決手段】便座１の上面に電極板を取り付け、便座１内部に空間を設け、その内部に体組成の計測のための電子回路基板５や荷重センサー９を内蔵した。本考案による便座式体組成計は、便座に設置し、臀部から微弱な電流を流すことで、脚を経ることなく直接胴体部分に電流が流れるので胴体部分のみの体脂肪や筋肉の精度の高い計測を行うことができる。また、体組成計と便座が一体化していることで、従来の体組成計のように使い終わったらどこかに収納したり、また使うとき出したりという手間を除くという利点もある。【選択図】図２
0003207967.tif 000002
【実用新案登録請求の範囲】
【請求項１】
便座の上面に電極を取り付け、便座内部に空間を設け、その内部に体組成の計測のための電子基板や荷重センサーを内蔵した便座式体組成計。
【考案の詳細な説明】
【技術分野】
【０００１】  体組成計測のための電極板を臀部に当てることで、より正確に胴体部分の組成計測を行うことができる。
【背景技術】
【０００２】  従来の体組成計は、電極板を足裏部分に当てることで、体脂肪や筋肉量、骨量など人間の体の組成の計測を行っている。
【考案の概要】
【考案が解決しようとする課題】
【０００３】  従来の体組成計は、電極板を足裏部分に当てることで体の組成計測を行っている。組成計測において最も必要な部分は、多くの内臓を有し、また現代人が最も気に掛ける脂肪分を、皮下脂肪や内臓脂肪としてためている胴体部分といってよい。
従来品は、足裏部分から電流を流すことで組成計測を行うので、電流が脚部を通り胴体部分に達し、また脚部を通り電極板に戻るというルートを通るので、余分な情報を処理しなければならないため、精度を落とすことにつながる。
【課題を解決する手段】
【０００４】  本考案物は、便座に取り付けた電極板から臀部に電流を流す仕組みになっている。このため直接電流が胴体部分に入るため内臓周辺部に対してより精度の高い情報を得ることができる。また、便座に取り付けられているため、体組成計自体の出し入れの必要がなく、収納の心配がない。
【図面の簡単な説明】
【０００５】
【図１】便座式体組成計の平面図
【図２】便座式体組成計の平面の断面図
【符号の説明】
【０００６】１、便座                        ２、回転軸
３、接着部                      ４、返し部
５、電子回路基板                ６、インピーダンス測定部
７、制御部                      ８、体重測定部
９、荷重センサー                １０、操作部
１１、表示部                    １２、表示板全体
１３、電極板
【図１】
0003207967.tif 000003
【図２】
0003207967.tif 000004
(57)【要約】      （修正有）【課題】作業用具等を、収納ができて、またそのまま移動運搬する場合には、階段等の段差のある場所でも、持ち運び移動できる軽量な作業用具等の収納及び運搬用カートを提供する。【解決手段】作業用具等収納及び運搬用カート本体（１）のハンドル（２）の左右及び内側に太さや、形状の異なる筒状の用具立て器（３）を複数設けて、ハンドル（２）の内側には、各所にクリップ（４ー１）（４−２）を設ける。クリップ（４ー１）は、作業用の小物類のつり下げ用として使用する。クリップ（４ー２）は、荷台（５）に、小物類やゴミ袋等を積載した場合にこれらを固定するために使用する。更に、ハンドル（２）の最下部には、車輪（６）をもうけて、軽快に移動できる。【選択図】図１
0003207968.tif 000002
【実用新案登録請求の範囲】
【請求項１】
作業用具等の収納及び運搬用カート本体（１）のハンドル（２）の左右側面及び内側に太さや、形状の異なる筒状の用具立て器（３）を複数設けて、更に、ハンドル（２）の内側には、各所にクリップ（４ー１）（４−２）を設ける。
クリップ（４ー１）は、作業用具の固定又は小物類のつり下げ用として使用する。
クリップ（４ー２）は、荷台（５）に、小物類やゴミ袋等を積載した場合にこれらを固定するために使用するクリップ。
作業で回収したゴミは、積載したゴミ袋に収納して運搬できる。
更に、ハンドル（２）の最下部には、車輪（６）をもうけて、軽快に運べる。
以上から構成される「作業用具等の収納及び運搬用カート」に関する考案。
【考案の詳細な説明】
【技術分野】
【０００１】  この発明は、作業用具等を、収納ができて、またそのまま移動運搬する場合には、階段等の段差のある場所でも、持ち運び移動できる軽量な作業用具等の収納及び運搬用カートに関するものである。
【背景技術】
【０００２】  従来の作業用具等運搬カートは、箱型で、荷台が大きく、重く、幅も度広く平坦な場所のみの運搬領域に限られ、手で持ち上げて移動は重くて出来なかった。
段差のある所や、階段のある場所では、それより先には進めなかった。
このため、作業現場直近までは、積載した用具類すべてを運ぶことが出来ない為作業中に用具を交換したくとも、作業用具運搬カートは、近くに置けないためその場の作業に必要な用具をその都度、その場で調達できず作業能率が悪かった。
適正な作業も出来なかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の作業用具等運搬カートには次のような欠点があり、これが解決課題であった。
▲１▼作業用具類運搬カート本体には、箱状のカバー等を設けていて、その中に、用具用引出し等の付属物が取付けてあり、大きさ及び重量が増える結果となって人の手で持ち上げることはできない。
▲２▼大きさ及び重量が多い為、階段その他の段差のある所では、それより先には進めなく、作業現場直近まで運ぶことが出来なく、段差のあるその場所で行き止まりとなるため、作業用具の交換に手間がかかり能率が悪かった。
▲３▼以上のような形態から、従来の作業用具等積載カートは、平坦で、通路幅も相応の広さが必要なため、一部の作業現場でのみの利用に限られて、置き場所もある程度要する為、利用範囲が狭く、家庭用としても利用されていない。
このため、本体は、小型で軽量、運搬する作業用具は、必要最小限な用具を積載する運搬用カートが機能的であった。
【課題を解決するための手段】
【０００６】  作業用具等収納及び運搬用カート本体（１）のハンドル（２）の左右側面及び内側に太さや、形状の異なる筒状の用具立て器（３）を複数設けて、更に、ハンドル（２）の内側には、各所にクリップ（４ー１）（４−２）を設ける。
クリップ（４ー１）は、作業用具の固定又は小物類のつり下げ用として使用する。
クリップ（４ー２）は、荷台（５）に、小物類やゴミ袋等を積載した場合にこれらを固定するために使用する。
更に、ハンドル（２）の最下部には、車輪（６）をもうけて、軽快に移動できる。
【考案の効果】
【０００７】本発明を使用する事によって、得られる効果は次のとおり。
▲１▼カートハンドル部には、各々太さ、形の異なった筒状の作業用具収納器を取付け多用途の作業用具類を積載して車輪にて軽快に運搬移動することができる。
この本考案カートに作業用具等を積載して移動中に階段等段差のある場所に遭遇した場合、軽量なため、手で持ち上げて、平坦な所まで移動することができる
▲２▼作業現場終点までは、各々その場で、各作業に適合する用具を選択して使用ることができて適正な作業が行え、作業能率は向上した。
使用しない時は、作業用具類を収納したそのまま、場所をとらずに、どこにでも置くことができ、必要な時に、そのまま、即持ち出して使用できる。
【図面の簡単な説明】
【０００８】
【図１】  本考案の斜視図
【図２】  本考案に作業用具等を収納した斜視図
【考案を実施するための形態】
【０００９】作業用具等収納及び運搬用カート本体（１）のハンドル（２）の左右側面及び内側に太さや、各々形状や太さの異なる筒状の作業用具立て器（３）を複数設ける。
各々の筒の太さや形が違うのは、太さや形の違う作業用具でも収納できるように万能対応とさせるため。
更に、ハンドル（２）の内側には、各所にクリップ（４ー１）（４−２）を設ける。
クリップ（４ー１）は、作業用具の固定又は小物類のつり下げ用として使用する。
クリップ（４ー２）は、荷台（５）に、小物類やゴミ袋等を積載した場合に、これらを固定するための固定用クリップとして使用する。
ハンドル（２）の最下部には、車輪（６）をもうけて、軽快に運ぶ。
本発明は以上の構成よりなる。
【実施例】
【００１０】  本考案を使用すると、移動中に階段等の段差のある場所に遭遇した場合でもハンドル（２）を手で持ち上げて、平坦な所まで移動させ、更に作業現場まではカートを引いて移動しながら、必要な作業用具が各々の場所で選択して即使用できる。
平坦な所から作業現場の終わりまでは、本考案の車輪（６）の作用で、軽快に引いて移動しながら、その場所の作業に適正な作業用具を選択して使用することができる。
【産業上の利用可能性】
【００１１】共同住宅は、特に高層化が著しく、清掃作業を例にとっても、階段等の段差の多い立体的場所での作業が多い為、清掃作業に限らず、これらの建築物全般に係わる作業には、本考案が有効に働くと思われる。
また、コンパクトな為、家庭用の収容及び運搬用として物置の片隅に置いて、使用する場合は、そのまま引き出して作業に使用するというように、収納と運搬の両方に兼用して使用することができる。
【符号の説明】
【図面の簡単な説明】
【００１２】
【図１】  本考案の斜視図
【図２】  本考案に作業用具等を収納した斜視図
【符号の説明】  （１）作業用具等収納及び運搬用カート本体
（２）ハンドル
（３）各々形状や太さの異なる筒状の作業用具収納器
（４ー１）小物類つり下げ用クリップ
（４ー２）荷台小物類固定用クリップ
（５）荷台
（６）車輪
【図１】
0003207968.tif 000003
【図２】
0003207968.tif 000004
(57)【要約】      （修正有）【課題】日常杖を用いるような足腰に障害がある人、指の感覚が鈍くなっている人が、杖一本持ち歩き、足腰を曲げたりするというような苦痛を伴なわないで、立ち姿勢のまま足等の簡単な操作で靴ベラを上下させ、靴の脱着ができる杖に取り付けて使用する杖用靴ベラを提供する。【解決手段】杖のロッド部１の下端に装着具２を使ってバネで上下に固定できるパッチン錠様の金具３を設け、パッチン錠様の金具３の上下する部分４に靴ベラ５を設けるか、又は、パッチン錠様の金具３の上下する部分４自体を靴ベラにする。【選択図】図１
0003207945.tif 000002
【実用新案登録請求の範囲】
【請求項１】
杖のロッド部（１）の下端に、装着具（２）を使ってバネで上下に固定できるパッチン錠様の金具（３）を設け、パッチン錠様の金具（３）の上下する部分（４）に靴ベラ（５）を設けた杖用靴ベラ。又は、パッチン錠様の金具（３）の上下する部分（４）自体を靴ベラにした杖用靴ベラ。
【考案の詳細な説明】
【技術分野】
【０００１】  この考案は、日常杖を用いるような足腰に障害がある人、指の感覚が鈍くなっている人が、杖一本持ち歩き、足腰を曲げたりするというような苦痛を伴なわないで、立ち姿勢のまま足等の簡単な操作で靴ベラを上下させ靴の脱着ができる杖に取り付けて使用する杖用靴ベラに関するものである。
【背景技術】
【０００２】  従来、杖と靴ベラは別々になっていた。
【先行技術文献】
【特許文献】
【０００３】
【特許文献１】
【考案の概要】
【考案が解決しようとする課題】
【０００４】  これは、次のような欠点があった。
（イ）足腰に支障があり杖を使っている人が、訪問先でかがんで靴を脱いだり履いたりする時に大変な苦痛を伴う。
（ロ）杖と靴ベラ２つを持ってあるくのは不便で大変である。
（ハ）杖に取り付けて使用する靴ベラもあるが、それは杖を上下持ちかえて靴ベラの方向を手で変えたりするというようなもので、手や指の間隔が鈍くなっている高齢者には操作が難しいし、不便である。
本考案は、以上のような欠点をなくすためになされたものである。
【課題を解決するための手段】
【０００５】  杖のロッド部（１）の下端に、装着具（２）を使ってバネで上下に固定できるパッチン錠様の金具（３）を設け、パッチン錠様の金具（３）の上下する部分（４）に靴ベラ（５）を設ける。又は、パッチン錠様の金具（３）の上下する部分（４）自体を靴ベラにしてもよい。
本考案は、以上の構成によりなる杖用靴ベラである。
【考案の効果】
【０００６】  （イ）足腰に障害がある人が、足腰を曲げたりするというような苦痛を伴う動作を行わなくても立ち姿勢のまま靴の脱着ができる。訪問先で人の手を借りずに靴の脱ぎ履きができる。
（ロ）靴ベラと杖が一体となっているので、外出する時靴ベラと杖を別々に持ち歩かなくても良い。
（ハ）バネにより上下の向きで固定される構造になっているので、杖を上下持ちかえて操作しなくても立ったまま足等で上下の向きを変えることができる。指先が鈍くなっている高齢者でも簡単に足等で操作ができる。
（ニ）靴ベラを上に上げた時、杖に靴ベラがピッタリくっつくようになっているので、他のものにひっかかったりしないし、見た目も良い。
（ホ）靴ベラは簡単に取り外しをすることができ、他の杖にも簡単に取り付けることができる。
【図面の簡単な説明】
【０００７】
【図１】靴ベラを下げた時の側面図である。
【図２】靴ベラを下げた時の正面図である。
【図３】靴ベラを上げた時の側面図である。
【図４】靴ベラを上げた時の正面図である。
【考案を実施するための形態】
【０００８】  以下、本考案の実施するための形態について説明する。
杖のロッド部（１）の下端に、装着具（２）を使ってバネで上下に固定できるパッチン錠様の金具（３）を設ける。
パッチン錠様の金具（３）の上下する部分（４）に靴ベラ（５）を設ける。又は、パッチン錠様の金具（３）の上下する部分（４）自体を靴ベラにしてもよい。
本考案は、以上のような構造である。
本考案の使い方は、靴を脱ぐとき、履くときは足で靴ベラ（５）を下向きに下げ用いる。靴の脱着時以外は靴ベラ（５）を上げ杖として用いる。
【符号の説明】
【０００９】    １  杖のロッド部
２  装着具
３  バネで上下に固定できるパッチン錠様の金具
４  バネで上下に固定できるパッチン錠様の金具の上下する部分
５  靴ベラ
【図１】
0003207945.tif 000003
【図２】
0003207945.tif 000004
【図３】
0003207945.tif 000005
【図４】
0003207945.tif 000006
【手続補正書】
【提出日】平成28年9月21日(2016.9.21)
【手続補正１】
【補正対象書類名】実用新案登録請求の範囲
【補正対象項目名】請求項１
【補正方法】変更
【補正の内容】
【請求項１】
「杖と、杖のロッド部（１）の下端に設けられた装着具（２）と、当該装着具（２）に取り付けられ、当該装着具（２）を使ってバネで上下に固定できるパッチン錠様の金具（３）と、からなる杖用靴ベラであって、前記パッチン錠様の金具（３）が有する上下する部分（４）に靴ベラ（５）を設けるか、或いは、前記パッチン錠様の金具（３）の上下する部分（４）自体を靴ベラとした、ことを特徴とする杖用靴ベラ。」
(57)【要約】      （修正有）【課題】フランジ仮付けの際簡単に迅速、且つ正確に水平が解り一人でも作業が出来る小型な水平器フランジレベラーを提供する。【解決手段】本考案は、中心点６とするＶ型バネ式構造にし、先端に回転するインサートローラー１２をつける。これは、ボルト孔より小さく作成して、簡単に挿入できるようにした。又回転するので自動的にセンターにいく。水平器４と平行になる。故に即水平がわかる。この作業は、極めて簡単で容易にできる。【選択図】図１
0003207948.tif 000002
【実用新案登録請求の範囲】
【請求項１】
水平器フランジレベラーは、Ｖ型バネ式の形状で、先端にインサートローラーをつける。フランジのボルト孔より径の小さい物を使用し簡単に抜き差しが出来、ワンタッチで水平が解る。
インサートローラーの反対側に回転する治具を取り付ける。その中心点を通る一直線上に穴をあけ、ロングピンを通す。これは、どのような角度からも挿入が簡単に出来、水平をみることができる。距離がある配管や、角度のある配管の仮付け時に水平器として適している。
【考案の詳細な説明】
【技術分野】
【０００１】    この発明は、フランジと配管の溶接仮付け時に水平を出す器具に関するものである。
【背景技術】
【０００２】  フランジと配管の溶接仮付けは、二人組で行う。一人が配管とフランジの、出し入れを確認し水平を見て、もう一人が溶接の仮付けをする。時間とタイミングを要する。このフランジ仮付け時に有効な水平器フランジレベラーは、上からや前から水平が見えるので、一人でも仮付け作業ができる。
【先行技術文献】
【特許文献】
【０００３】
【特許文献１】特開２００５−３００５０７
【考案の概要】
【考案が解決しようとする課題】
【０００４】  文献１の配管用フランジ水平器は、両サイドを動かしてボルト孔に差し込む方法であるが、合致するボルト孔に入れるには、時間を要し又作業が難しく手間取るのではないかと思われる。本考案は、これらの解決するためになされたものである。
【課題を解決するための手段】
【０００５】  上記の課題を解決するために、Ｖ型のバネ式構造にし、先端に回転するインサートローラーをつける。これは、ボルト孔より小さく作成して、簡単に挿入出来るようにした。又回転するので自動的にセンターにいく。即水平になるのでこの作業は、極めて簡単である。本考案は、以上の構成からなる、フランジ仮付け時に有効な水平器フランジレベラーである。
【考案の効果】
【０００６】  上述のように中心点６とするＶ型バネ式の構造により片手でホルダーハンドルを操作し、フランジのボルト孔に差し込む事ができる。先端に回転するインサートローラー７つける。ボルト穴より小さく作成し簡単に挿入が出来ようにした。６．７の間に自在ボルト８中心点として、水平器固定ボルトで水平器４をつける。７．８は、ＡＢ共に同じに長さに設定する。７．８ＡＢは平行になる。即水平が解る。ワンタッチで作業が出来き、しかも小型であり携帯に便利である。又距離が配管や角度ついた配管には、ロングピンが有効である。ロングピンを合わせて目視で水平を確認できる。水平分度器で測りに行く時間が短縮され効率的である。仮付け時に有効な水平器フランジレベラーである。
【図面の簡単な説明】
【０００７】
【図１】本考案のフランジレベラーの正面図と側面図である。
【図２】本考案インサートピン使用中の正面図と側面図である。
【０００８】  写真４−１使用中正面である
４−２使用中側面である
４−３インサートローラー
４−４インサートピン使用中
【考案を実施するための形態】
【０００９】図１で示すように、Ｖ型バネ式の構造により片手でホルダーハンドルを掴みフランジのボルト孔に入れる事ができる。上からでも、前からでも正確に水平を確認できる。この作業は簡単で容易いものである。また一人でも仮付けを行うことができる。距離や角度のある配管は、ロングピンをロングピン穴に通し、目視で水平を確認する。水平分度器で測りに行く時間が短縮できる。
【実施例】
【００１０】図１のように６を中心点にもつ、Ｖ型バネ式の構造により片手でホルダーハンドル７ＡＢを掴みフランジのボルト孔に入れる。上からか、前から４の水平器で水平を確認して、仮付けを行うことができる。
図２は、距離や角度のある配管は、ロングピン９をロングピン穴３に通し、目視で水平を確認する。
【符号の説明】
【００１１】フランジレベラー
１    ホルダーハンドル                １０  水平器固定ボルト
２    インサートピン治具              １１  スプリング
３    インサートピン穴                １２  インサートローラー
４    水平器                          １３  フランジのボルト孔
５    水平器ストッパーボルト          Ｆ    フランジ
６    Ｖ型中心点                      Ｐ    パイプ
７ＡＢインサートローラー中心点
８ＡＢ自在ボルト
９    インサートピン
【図１】
0003207948.tif 000003
【図２】
0003207948.tif 000004
【手続補正書】
【提出日】平成28年9月21日(2016.9.21)
【手続補正１】
【補正対象書類名】実用新案登録請求の範囲
【補正対象項目名】全文
【補正方法】変更
【補正の内容】
【実用新案登録請求の範囲】
【請求項１】
フランジレベラーは
Ｖ型バネ式構造において
（１）同じ長さの部材２本先端を閉じスプリング１１を付け、自在に角度調整を可能とし
（２）もう片方を開きＶ型を作り、その先端の一直線上と平行に部材の任意の場所に水平器を付けこのＶ型にして、スプリングを付けること
Ｖ型バネ式構造とする。
【請求項２】
インサイトローラにおいては、
（１）開いたＶ型の先端に、水平器と、平行にフランジのボルト孔より小型のインサイトローラをつけ、簡単に抜き差しが出来、
（２）スプリングの力で広がり、回転するので自動的にセンターにいき、ワンタッチで水平が解ること
配管の仮付けに有効な水平器フランジレベラーである。
【請求項３】
ロングピンにおいては
（１）正面インサイトローラの反対側に止金を兼ね自在に回転する治具を付け
（２）治具には、水平器と平行なる様に孔をあけ、取り外しが出来るロングピンを使用すれば
目視で距離がある配管や角度のある配管の仮付け時に有効な水平器フランジレベラーである。
(57)【要約】      （修正有）【課題】風に飛ばされないことと、カメラの操作を容易に出来る下端開口状のカメラ用日よけカバーを提供する。【解決手段】超望遠レンズを取付けた一眼レフカメラを三脚９に搭載して撮影待機時に、直射日光やホコリからレンズ及びカメラ本体４を守るための布カバー１であって、当該カバーの隅のうち、レンズフード３に当該カバーを巻き付けた際に対向する２箇所の隅の各々に面ファスナー６のフック面とループ面とをそれぞれ設置し、布カバーをレンズフードに巻き付けた際に上記フック面とループ面とを面ファスナーにて貼付け固定可能であり、尚かつ、前記カバーは２箇所に紐通し７、８を有し、前記カバーをカメラにかぶせた際に前記紐通しに紐状の両面面ファスナー５を通して括る事で、前記カバーのカメラ収納部分１１のみを簡単にめくり上げる事が可能であることを特徴とする。【選択図】図１
0003207947.tif 000002
【実用新案登録請求の範囲】
【請求項１】
超望遠レンズを取付けた一眼レフカメラを三脚に搭載して撮影待機時に、直射日光やホコリからレンズ及びカメラ本体を守るための布カバーであり。
特徴は、カメラとレンズの形状に合せて縫製した布カバーをレンズフードに固定する事により風等で布カバーが外れづらく、撮影時はカメラを操作しやすいようにカメラ部分のみ布カバーの一部が瞬時に着脱出来る構造を有した下端開口状のカメラ用日よけカバー。
【考案の詳細な説明】
【技術分野】
【０００１】  本考案は、カメラとレンズの形状に縫製した布製のカメラ用日よけカバーに関するものである。
【背景技術】
【０００２】  炎天下の撮影時及び撮影待機時に、三脚に取付けたカメラやレンズを長時間直射日光にさらす事で高温になりカメラやレンズが故障することがあった。
【先行技術文献】
【特許文献】
【０００３】
【特許文献１】  登録実用新案第３０６３３６６号  公報
【考案の概要】
【考案が解決しようとする課題】
【０００４】  従来から存在したカバーは、装着方法が複雑であり使用するレンズの直径が異なるものには取付けが出来ない構造である。【０００５】  カメラやレンズを日差しから守るために、タオル等をカメラやレンズの上に被せることで日差しを避けていたがタオル等が風で飛ばされたりすることと、また三脚ごと日陰に退避させた場合、シャッターチャンスが訪れた時に三脚をセットし直すことでシャッターチャンスを逃すことがある。従って、日差しを避けるための日よけカバーを作成し、尚且つ風に飛ばされない構造とカメラの操作が容易に行える仕組みにすることで、前述の欠点を解決しようとするものである。
【課題を解決するための手段】
【０００６】  布カバーをカメラとレンズの形状に合わせて縫製し、レンズフードに巻きつけて面ファスナー等で固定することで風の影響を受けず、またレンズの付け根付近の布カバーを紐状の両面面ファスナー等で簡単に括ることで撮影時は布カバーのカメラ収納部分のみめくり上げて容易に撮影操作が出来るように解決している。
【考案の効果】
【０００７】  上述の様に、本考案のカメラ用日よけカバーは、簡単に装着が出来、風等の影響を受けて飛ばされることもなく、撮影時にはカメラ収納部分を簡単にめくり上げることが出来るのでシャッターチャンスを逃さず瞬時に操作が出来る。
【図面の簡単な説明】
【０００８】
【図１】本考案のカメラ用日よけカバーの実装例を示す全体図である
【図２】カメラ操作時の状態を示す図である
【図３】本考案のカメラ用日よけカバーの展開図である
【考案を実施するための形態】
【０００９】  カメラ用日よけカバーの縦長は、カメラに望遠レンズを取付けた状態でカメラ背面から望遠レンズのレンズフードまでの長さとし、横幅はレンズフードの外周長より３センチ程度の余裕を持たせた横幅とし、装着時はカメラ用日よけカバーの後端部分はカメラの形状より大きめに縫製し、望遠レンズ及びカメラ本体にかぶせカメラ用日よけカバーの先端部分をレンズフードに巻付けて面ファスナー等にて留めることで風等の影響を受けても飛ばされない構造である。
また、望遠レンズの根元付近を紐状の両面面ファスナー等にて括ることでカメラ用日よけカバーのカメラ収納部分のみをめくり上げることが出来、紐状の両面面ファスナー等をカメラ用日よけカバーに取付ける部位には紐通しを付け両面面ファスナー等の落下を防止している。
【実施例】
【００１０】  以下、添付図面に従って実施例を説明する。１はカメラ用日よけカバーの本体を装着した状態である。装着方法としては、１のカメラ用日よけカバーをかぶせて３のレンズフードに巻付け６の面ファスナーにて６ａのフック面と６ｂのループ面を貼り付け固定する。【００１１】  ７の紐通しＡに５の紐状の両面面ファスナー等を通して括ることで１のカメラ用日よけカバーは風等で安易に外れない。【００１２】  カメラの操作時は、カメラ用日よけカバーの１１カメラ収納部分をめくり上げることで容易に撮影可能になる、長時間撮影する時は、５の紐状の両面面ファスナー等を８の紐通しＢに取り付けて括り直すことで、カメラ用日よけカバーがカメラの操作を阻害しない。【００１３】  尚、図３の展開図に示されるＡとＡ′、ＢとＢ′はカメラ用日よけカバーをカメラの形状に合わせて縫製する箇所を示すものである。
【符号の説明】
【００１４】１  カメラ用日よけカバー
２  超望遠レンズ本体
３  レンズフード
４  カメラ本体
５  紐状の両面面ファスナー
６  面ファスナー
７  紐通しＡ
８  紐通しＢ
９  三脚
１０  超望遠レンズ収納部分
１１  カメラ収納部分
【図１】
0003207947.tif 000003
【図２】
0003207947.tif 000004
【図３】
0003207947.tif 000005
【手続補正書】
【提出日】平成28年9月26日(2016.9.26)
【手続補正１】
【補正対象書類名】実用新案登録請求の範囲
【補正対象項目名】請求項１
【補正方法】変更
【補正の内容】
【請求項１】
超望遠レンズを取付けた一眼レフカメラを三脚に搭載して撮影待機時に、直射日光やホコリからレンズ及びカメラ本体を守るための布カバーであって、当該カバーの隅のうち、レンズフードに当該カバーを巻き付けた際に対向する２箇所の隅の各々に面ファスナーのフック面とループ面とをそれぞれ設置し、布カバーをレンズフードに巻き付けた際に上記フック面とループ面とを面ファスナーにて貼付け固定可能であり、尚かつ、前記カバーは２箇所に紐通しを有し、前記カバーをカメラにかぶせた際に前記紐通しに面ファスナーを通して括る事で、前記カバーのカメラ収納部分のみを簡単にめくり上げる事が可能であることを特徴とする、下端開口状のカメラ用日よけカバー。
(57)【要約】      （修正有）【課題】既存の袋やラップやシートと併せることにより、液体・固形等多用途に活用できる容器包装に変容し、ゴミ減容と食品ロスの一助になり、日常生活で携帯活用することにより非常時の備えにもなるシートを提供する。【解決手段】シートは、自己粘着性と独自のカット（大小の円弧状カット）を有し、用途に応じて組み立て変形させる。食品袋に詰めたご飯等を巻いて棒状に整形し、そのまま包んで携帯できる。６つの半円形カットを組み換え、筒型に巻いてタンブラーにもできる。半分に畳むように合せ、持ち手のあるマグカップにもなる。また、別の方向に半分に畳み合せてボウルにもなる。何れの場合も、自己粘着性と、カット部分を貼り合せたり噛み合わせたりすることで剥がれる力を分散して外れにくくし、全て既存の袋やラップを敷いて使用できる。【選択図】図１
0003207950.tif 000002
【実用新案登録請求の範囲】
【請求項１】
素材の自己粘着性と、独自のカットの組み合わせを替えてシートを組み立て変形させ、既存の食品袋及びラップと組み合わせることによって、固形物や液体などに適応した形態の容器とする。
【請求項２】
食品を成形する或は携帯する時に巻き簾の代替として使用し、不使用時は平面又は細く筒状に巻くなど好みに合わせ最小の形態で携帯できる。
【請求項３】
発泡シートを組み合わせることにより保温機能を持つ。
【考案の詳細な説明】
【技術分野】
【０００１】本考案は、独自に配置したカットを組み合わせて組み立て、既存の食品袋又はラップと併せて使用することにより、固形と液体それぞれに適応した形態に変化する器・調理補助具・包装機能を有するシートに関するものである。
【背景技術】
【０００２】従来は、ＰＥＴボトル飲料を小分けする時などは、使い捨ての紙コップやプラコップ、マイカップ等を使用する。お弁当には、おにぎりはラップに包んで成型することも多く、ランチボックスに入れ携帯する。
又、飲食店等で残したものを持ち帰る時は、店或は自分で用意した折り箱などの容器に詰める又は簡易にラップなどに包んでいる。
病院見舞いの花には、花瓶になるものを用意する必要がある。
【考案の概要】
【考案が解決しようとする課題】
【０００３】渇水時災害時等、水で容器を洗うことが出来ない場合も衛生的に食事をする。手作りお弁当等の調理・包装の合理化。幼児や高齢者・障がい者の食事支援。携帯時のコンパクト化。容器包装ゴミの減容。食品ロスの軽減。
【課題を解決するための手段】
【０００４】日常携帯し、固形・液体それぞれに適した形態に変容させ、直接食品等が触れないように既存の袋やラップを併せて使用する。使用後は汚れた袋やラップのみ廃棄する。シートは台所洗剤での水洗の他に、消毒用アルコールでも清拭出来る。おにぎりなど成形に適した食品を巻いて、そのまま包んで携帯する。また成形に適さない外食時の残り物などは、シートをボウル型に組み立て、敷いた袋に密封し携帯する。
【考案の効果】
【０００５】予期せぬ必要時や水で容器を洗うことが出来ない場合も衛生的に飲食等が可能。従来の容器包装と比べゴミが軽減されるとともに、使用前後は体積を小さく出来ることから常に携帯出来、負担の無い防災備品にもなり、習慣付けとスマートな持ち帰りプロセスは食品ロス対策の一助にもなる。
【図面の簡単な説明】
【０００６】
【図１】本考案の変形前のシートである。
【図２】ボウル（舟形容器）に組み立てた図である。
【図３】タンブラー（コップ）型に巻いて固定した図である。
【図４】マグカップ（ジョッキ）型に合せて固定した図である。
【図５】タンブラー型［図３］保温時に間に発泡シートを重ねた図である。
【考案を実施するための形態】
【０００７】  通常は保存袋を芯にして細く巻いて携帯し、必要な時に広げて使用する。
一例として一連の流れで説明すると、棒状おにぎりにする時は、保存袋の底にご飯やおかずを置き、シートを巻き簾代わりにして巻いて成形し、そのまま包んで携帯する。食事する時は、成形されたおにぎりをシートから外し、シートは飲み物用或は副菜用のボウルとして組み立て、保存袋を敷き食品や飲料を入れて使用する。食事が終わったら、食品が直に触れた袋を廃棄して、シートのみ巻く又はフラットな状態で持ち帰る。
【符号の説明】
【０００８】  Ａ  シート本体
Ｂ  大サイズ  円弧のカット
Ｃ  大サイズ  円弧のカット
１  小サイズ  円弧のカット
２  小サイズ  円弧のカット
３  小サイズ  円弧のカット
４  小サイズ  円弧のカット
イ  食品保存袋（又は食品ラップ）
ロ  発泡シート
【図１】
0003207950.tif 000003
【図２】
0003207950.tif 000004
【図３】
0003207950.tif 000005
【図４】
0003207950.tif 000006
【図５】
0003207950.tif 000007
【手続補正書】
【提出日】平成28年9月15日(2016.9.15)
【手続補正１】
【補正対象書類名】実用新案登録請求の範囲
【補正対象項目名】全文
【補正方法】変更
【補正の内容】
【実用新案登録請求の範囲】
【請求項１】
素材の自己粘着性と、独自のカットの組み合わせを替えてシートを組み立て変形させ、既存の食品袋又はラップと組み合わせることによって、固形物や液体などに適応した形態の容器とすることを特徴とする、シート。
【請求項２】
食品を成形する或は携帯する時に巻き簾の代替として使用し、不使用時は平面又は細く筒状に巻くなど好みに合わせ最小の形態で携帯することができる、請求項１に記載のシート。
(57)【要約】      （修正有）【課題】害虫の侵入を防ぐ衛生面に優れた天板構造を有した調理台を提供する。【解決手段】各接合箇所の隙間を埋め、天板１と梁２との間にウレタン等の合成樹脂４を使用した一体構造にする事により外部からの害虫の侵入を防ぐことができる。【選択図】図２
0003207944.tif 000002
【実用新案登録請求の範囲】
【請求項１】
接合部分に生じる隙間を埋められた構造を特徴とする衛生的な調理台（作業台  以後調理台と記す）
【請求項２】
天板裏の梁（天板を支える枠）がウレタン等の合成樹脂との一体構造
【請求項３】
天板裏の梁（天板を支える枠）と天板が一体構造で密接しているため隙間を作らない構造
【考案の詳細な説明】
【技術分野】
【０００１】本考案は、キッチンおよび厨房などで使用する調理台に関するものである。
さらに言えば害虫の侵入を防ぐ衛生面に優れた天板構造を有した調理台に関するものである。
【背景技術】
【０００２】今日において飲食店の厨房やキッチン、各業種で使用される従来の調理台は天板と梁、また天板と脚などの接合個所（溶接する個所含む）に隙間が生じている。
【考案の概要】
【考案が解決しようとする課題】
【０００３】キッチン、厨房などにおいて使用される調理台は食材を扱うことから接合箇所の小さな隙間より害虫が侵入する事が多く掃除または駆除ができないことから衛生的に悪い構造。
【課題を解決するための手段】
【０００４】天板および各接合箇所の隙間にスポンジやウレタン等の合成樹脂を用い隙間を埋める
【考案の効果】
【０００５】本考案によれば接合個所の隙間に対しそれを埋めることにより害虫の侵入を防ぐことができる。【０００６】これにより害虫が隙間および空洞の中で巣を作ると言った２次災害も防ぐことができる。【０００７】スポンジやウレタン等を入れることにより天板に対しての衝撃を吸収するので耐久性が増す。【０００８】また衛生的に使用することができる。
【図面の簡単な説明】
【０００９】
【図１】本考案の構造を表す天板の全体底面図である
【図２】本考案の施工状態を表す天板裏の状態説明図である
【図３】本考案の調理台の正面図である
【図４】本考案の調理台の背面図である
【図５】本考案の調理台の上面図である
【図６】本考案の調理台の底面図である
【考案を実施するための形態】
【００１０】
【実施例】
【００１１】まず本考案の実施例について図１から図２に基づいて説明する。図１は調理台の天板を裏面から見た全体底面図であり符号１の天板と符号２の梁を溶接にて組み合わせ天板を支える符号３の脚が４本ある構造である。【００１２】図２で示すように符号２の枠と符号１の天板との間に隙間が生じるため符号４のスポンジやウレタン等の合成樹脂を用いて隙間を埋める。
【産業上の利用可能性】
【００１３】調理台及び作業台について、衛生面まで考えられた調理人にやさしい構造はなく、飲食業界のみではなく衛生面に注意が必要な業種にとって今後需要が大きい。
【符号の説明】
【００１４】１  天板
２  梁（天板を支える枠）
３  脚
４  天板と枠の隙間の施工個所
【図１】
0003207944.tif 000003
【図２】
0003207944.tif 000004
【図３】
0003207944.tif 000005
【図４】
0003207944.tif 000006
【図５】
0003207944.tif 000007
【図６】
0003207944.tif 000008
【手続補正書】
【提出日】平成28年9月20日(2016.9.20)
【手続補正１】
【補正対象書類名】実用新案登録請求の範囲
【補正対象項目名】全文
【補正方法】変更
【補正の内容】
【実用新案登録請求の範囲】
【請求項１】
天板と、天板を支える枠である梁と、脚と、からなる調理台であって、前記天板と梁との接合部分の隙間、又は、天板と脚との接合部分の隙間が合成樹脂によりうめられていることを特徴とする調理台。
(57)【要約】      （修正有）【課題】パーティ等で顔写真が一緒に撮影でき、自撮りグッズとして活用できるケーキミラーを提供する。【解決手段】差込板３を有するプラスチック枠１に鏡２を組み込み、ケーキ４の上に設置する。【選択図】図１
0003207946.tif 000002
【実用新案登録請求の範囲】
【請求項１】
プラスチック枠に鏡を組込み土台（デコレーションケーキ等）の上面に設置し、本人等と土台の撮影対象物と一緒に自撮り等で記念撮影ができるアイテムである。
【考案の詳細な説明】
【技術分野】
【０００１】本考案は、記念撮影用にプラスチック枠に鏡を設けた撮影用アイテムに関するものである。
【背景技術】
【０００２】小規模撮影対象物に本人の顔がはまり込んだ写真が従来ではなかったためである。
【考案の概要】
【考案が解決しようとする課題】
【０００３】従来、撮影対象物（デコレーションケーキ等）内で顔写真が一緒に撮影できるものがなく、パーティ等で気軽に記念になる写真が自撮りできる。
【課題を解決するための手段】
【０００４】本考案は、撮影対象物に鏡を装着することにより解決する。
【図面の簡単な説明】
【０００５】
【図１】本考案のケーキミラーの実施例を示す正面図である。
【図２】本ケーキミラーの外形図
【考案を実施するための形態】
【０００６】本考案物をデコレーションケーキ等の土台上に設置し、考案物に設置した鏡に向かい自身の姿・顔が映るようにしてカメラ等で自撮りをする。
【符号の説明】
【０００７】１  プラスチック製枠
２  鏡
３  差込板
４  土台
【図１】
0003207946.tif 000003
【図２】
0003207946.tif 000004
【手続補正書】
【提出日】平成28年9月21日(2016.9.21)
【手続補正１】
【補正対象書類名】実用新案登録請求の範囲
【補正対象項目名】全文
【補正方法】変更
【補正の内容】
【実用新案登録請求の範囲】
【請求項１】
差込板を有するプラスチック枠に鏡を組み込んだケーキミラー